(57)【要約】【課題】多重画像を滑らかにスクロールさせることができる画像表示装置を提供する。【解決手段】画像表示装置２は、左目用画素及び右目用画素が少なくとも一方向に交互に配列され、左目用画像及び右目用画像が合成された多重画像を画面上に表示する表示手段３と、表示手段３を制御する制御手段４とを備える。制御手段４は、多重画像をスクロールさせる指示を取得する指示取得部４３１と、指示取得部４３１にて指示を取得した場合に、表示手段３を制御し、多重画像をスクロールさせる移動処理部４３５とを備える。移動処理部４３５は、多重画像をスクロールさせる際、第１の多重画像、または第１の多重画像に対して左目用画像及び右目用画像が反転した第２の多重画像を表示手段３に表示させる。【選択図】図２
2011090137.tif 000002
【特許請求の範囲】
【請求項１】
左目用画素及び右目用画素が少なくとも一方向に交互に配列され、左目用画像及び右目用画像が合成された多重画像を画面上に表示する表示手段と、前記表示手段を制御する制御手段とを備えた画像表示装置であって、
前記制御手段は、
前記多重画像をスクロールさせる指示を取得する指示取得部と、
前記指示取得部にて前記指示を取得した場合に、前記表示手段を制御し、前記多重画像をスクロールさせる移動処理部とを備え、
前記移動処理部は、
前記多重画像をスクロールさせる際、第１の多重画像、または前記第１の多重画像に対して前記左目用画像及び前記右目用画像が反転した第２の多重画像を前記表示手段に表示させる
ことを特徴とする画像表示装置。
【請求項２】
請求項１に記載の画像表示装置において、
前記左目用画素及び前記右目用画素は、
行方向及び列方向に沿って交互に配列され、
前記制御手段は、
前記第１の多重画像に対して、隣接する２つの行に配設された各前記画素に表示させる各画像データを１組として、各組毎に、列方向に並ぶ各前記画素に表示させる各画像データを入れ替えて前記第２の多重画像を生成する第１の画像生成部を備え、
前記移動処理部は、
前記多重画像を行方向にスクロールさせる際、前記第１の多重画像、または前記第１の画像生成部にて生成された前記第２の多重画像を前記表示手段に表示させる
ことを特徴とする画像表示装置。
【請求項３】
請求項１に記載の画像表示装置において、
前記左目用画素及び前記右目用画素は、
行方向及び列方向に沿って交互に配列され、
前記制御手段は、
前記第１の多重画像に対して、隣接する２つの列に配設された各前記画素に表示させる各画像データを１組として、各組毎に、行方向に並ぶ各前記画素に表示させる各画像データを入れ替えて前記第２の多重画像を生成する第２の画像生成部を備え、
前記移動処理部は、
前記多重画像を列方向にスクロールさせる際、前記第１の多重画像、または前記第２の画像生成部にて生成された前記第２の多重画像を前記表示手段に表示させる
ことを特徴とする画像表示装置。
【請求項４】
左目用画素及び右目用画素が少なくとも一方向に交互に配列され、左目用画像及び右目用画像が合成された多重画像を画面上に表示する表示手段と、前記表示手段を制御する制御手段とを備えた画像表示装置の画像表示方法であって、
前記制御手段が、
前記多重画像をスクロールさせる指示を取得する指示取得ステップと、
前記指示を取得した場合に、前記表示手段を制御し、前記多重画像をスクロールさせる移動処理ステップとを実行し、
前記移動処理ステップでは、
前記多重画像をスクロールさせる際、第１の多重画像、または前記第１の多重画像に対して前記左目用画像及び前記右目用画像が反転した第２の多重画像を前記表示手段に表示させる
ことを特徴とする画像表示方法。
【請求項５】
左目用画素及び右目用画素が少なくとも一方向に交互に配列され、左目用画像及び右目用画像が合成された多重画像を画面上に表示する表示手段と、前記表示手段を制御する制御手段とを備えた画像表示装置の画像表示プログラムであって、
請求項４に記載の画像表示方法を前記制御手段に実行させる
ことを特徴とする画像表示プログラム。
【請求項６】
請求項１から請求項３のいずれかに記載の画像表示装置を備えることを特徴とする遊技機。
【発明の詳細な説明】
【技術分野】
【０００１】
本発明は、画像表示装置、画像表示方法、画像表示プログラム、及び遊技機に関する。
【背景技術】
【０００２】
従来、左目用画素及び右目用画素が少なくとも一方向に交互に配列され、左目用画像及び右目用画像が合成された多重画像を画面上に表示する液晶パネル等の表示手段を備え、視差により多重画像を立体視させる画像表示装置が知られている。
このような画像表示装置では、多重画像を表示手段の画面内でスクロールさせる際に、１ピクセル単位で多重画像をスクロールさせると、スクロールの際に、左目用画像が右目用画素に表示され、右目用画像が左目用画素に表示される状態（逆視の状態）が存在し、多重画像を正しく立体視させることができない。
そこで、多重画像をスクロールさせる際の移動単位量を視点数の整数倍のピクセル数とすることで、スクロールの際に逆視の状態が存在せず、多重画像を正しく立体視させる技術が提案されている（例えば、特許文献１参照）。
【先行技術文献】
【特許文献】
【０００３】
【特許文献１】特許第４２３６４２８号（段落番号〔００８９〕〜〔００９３〕、図２８〜図３０）
【発明の概要】
【発明が解決しようとする課題】
【０００４】
しかしながら、特許文献１に記載の画像表示装置では、多重画像をスクロールさせる際の移動単位量を視点数の整数倍のピクセル数としているため、スクロールの際に多重画像が粗く動くこととなり、観察者に違和感を与えてしまう、という問題がある。
【０００５】
本発明の目的は、多重画像を滑らかにスクロールさせることができる画像表示装置、画像表示方法、画像表示プログラム、及び遊技機を提供することにある。
【課題を解決するための手段】
【０００６】
本発明の画像表示装置は、左目用画素及び右目用画素が少なくとも一方向に交互に配列され、左目用画像及び右目用画像が合成された多重画像を画面上に表示する表示手段と、前記表示手段を制御する制御手段とを備えた画像表示装置であって、前記制御手段は、前記多重画像をスクロールさせる指示を取得する指示取得部と、前記指示取得部にて前記指示を取得した場合に、前記表示手段を制御し、前記多重画像をスクロールさせる移動処理部とを備え、前記移動処理部は、前記多重画像をスクロールさせる際、第１の多重画像、または前記第１の多重画像に対して前記左目用画像及び前記右目用画像が反転した第２の多重画像を前記表示手段に表示させることを特徴とする。
【０００７】
本発明では、制御手段を構成する移動処理部は、多重画像をスクロールさせる際、第１の多重画像、または第２の多重画像を表示手段に表示させる。
このことにより、第１の多重画像及び第２の多重画像は、左目用画像及び右目用画像が反転した画像であるため、ピクセル単位で多重画像をスクロールさせる際に第１の多重画像及び第２の多重画像を交互に表示手段に表示させれば、スクロールの際に逆視の状態が存在することなく、多重画像を正しく立体視させることができる。
また、上述したようにピクセル単位で多重画像をスクロールさせても正しく立体視させることができるため、スクロールの際に多重画像を滑らかに動かすことができ、観察者に違和感を与えることがない。
【０００８】
本発明の画像表示装置では、前記左目用画素及び前記右目用画素は、行方向及び列方向に沿って交互に配列され、前記制御手段は、前記第１の多重画像に対して、隣接する２つの行に配設された各前記画素に表示させる各画像データを１組として、各組毎に、列方向に並ぶ各前記画素に表示させる各画像データを入れ替えて前記第２の多重画像を生成する第１の画像生成部を備え、前記移動処理部は、前記多重画像を行方向にスクロールさせる際、前記第１の多重画像、または前記第１の画像生成部にて生成された前記第２の多重画像を前記表示手段に表示させることが好ましい。
【０００９】
本発明では、制御手段は、上述したように第２の多重画像を生成する第１の画像生成部を備える。
このことにより、第１の多重画像に対して左目用画像及び右目用画像が反転した第２の多重画像を容易に生成できる。
また、上述したように第２の多重画像を生成することで、行方向へのスクロールの際、第１の多重画像を表示しても、第２の多重画像を表示しても、略同一の立体画像として立体視させることができ、観察者に違和感を与えることがない。
さらに、第２の多重画像を生成する構成とすることで、例えば、第１及び第２の多重画像に関するデータを予め記憶部に記憶させておく構成と比較して、第１の多重画像に関するデータのみを記憶部に記憶させておけばよく、記憶部のデータ容量を低減できる。
【００１０】
本発明の画像表示装置では、前記左目用画素及び前記右目用画素は、行方向及び列方向に沿って交互に配列され、前記制御手段は、前記第１の多重画像に対して、隣接する２つの列に配設された各前記画素に表示させる各画像データを１組として、各組毎に、行方向に並ぶ各前記画素に表示させる各画像データを入れ替えて前記第２の多重画像を生成する第２の画像生成部を備え、前記移動処理部は、前記多重画像を列方向にスクロールさせる際、前記第１の多重画像、または前記第２の画像生成部にて生成された前記第２の多重画像を前記表示手段に表示させることが好ましい。
【００１１】
本発明では、制御手段は、上述したように第２の多重画像を生成する第２の画像生成部を備える。このことにより、上述した第１の画像生成部を備えた構成と同様の作用及び効果を享受できる。
【００１２】
本発明の画像表示方法は、左目用画素及び右目用画素が少なくとも一方向に交互に配列され、左目用画像及び右目用画像が合成された多重画像を画面上に表示する表示手段と、前記表示手段を制御する制御手段とを備えた画像表示装置の画像表示方法であって、前記制御手段が、前記多重画像をスクロールさせる指示を取得する指示取得ステップと、前記指示を取得した場合に、前記表示手段を制御し、前記多重画像をスクロールさせる移動処理ステップとを実行し、前記移動処理ステップでは、前記多重画像をスクロールさせる際、第１の多重画像、または前記第１の多重画像に対して前記左目用画像及び前記右目用画像が反転した第２の多重画像を前記表示手段に表示させることを特徴とする。
本発明の画像表示方法は、上述した画像表示装置によって実施されるものであるので、上述した画像表示装置と同様の作用及び効果を享受できる。
【００１３】
本発明の画像表示プログラムは、左目用画素及び右目用画素が少なくとも一方向に交互に配列され、左目用画像及び右目用画像が合成された多重画像を画面上に表示する表示手段と、前記表示手段を制御する制御手段とを備えた画像表示装置の画像表示プログラムであって、上述した画像表示方法を前記制御手段に実行させることを特徴とする。
本発明の画像表示プログラムは、上述した画像表示方法を実施するために利用されるので、上述した画像表示方法と同様の作用及び効果を享受できる。
【００１４】
本発明の遊技機は、上述した画像表示装置を備えることを特徴とする。
本発明では、遊技機は、上述した画像表示装置を備えるので、上述した画像表示装置と同様の作用及び効果を享受できる。
【図面の簡単な説明】
【００１５】
【図１】第１実施形態における遊技機を示す斜視図。
【図２】第１実施形態における画像表示装置の構成を示すブロック図。
【図３】第１実施形態における表示手段の構成を模式的に示す断面図。
【図４】第１実施形態における液晶パネルの画素の配列状態を平面的に見た模式図。
【図５】第１実施形態における画像表示方法を説明するフローチャート。
【図６】第１実施形態における画像表示方法を説明するための図。
【図７】第１実施形態における画像表示方法を説明するための図。
【図８】第１実施形態における画像表示方法を説明するための図。
【図９】第１実施形態における画像表示方法を説明するための図。
【図１０】第１実施形態における画像表示方法を説明するための図。
【図１１】第２実施形態における画像表示装置の構成を示すブロック図。
【図１２】第２実施形態における液晶パネルの画素の配列状態を平面的に見た模式図。
【図１３】第２実施形態の画像表示方法を説明するフローチャート。
【図１４】第２実施形態における画像表示方法を説明するための図。
【図１５】第２実施形態における画像表示方法を説明するための図。
【図１６】第２実施形態における画像表示方法を説明するための図。
【発明を実施するための形態】
【００１６】
[第１実施形態]
以下、本発明の第１実施形態を図面に基づいて説明する。
〔遊技機の概略構成〕
図１は、第１実施形態における遊技機１を示す斜視図である。
遊技機１は、図１に示すように、パチンコ機として構成され、ハンドル１Ａの操作に応じて射出装置（図示略）により射出された遊技球が遊技盤１Ｂの盤面上を落下しつつ移動して、所定の入賞口に入賞した場合に所定数の遊技球を払い出すものである。
遊技盤１Ｂの裏面には、略円形状の側壁１Ｃによって囲まれた遊技領域１Ｄが形成されている。そして、遊技領域１Ｄの略中央には、略横長長方形状の開口部１Ｅを介して、画像表示装置２を構成する表示手段３が配置されている。
【００１７】
〔画像表示装置の構成〕
図２は、画像表示装置２の構成を示すブロック図である。
画像表示装置２は、遊技機１全体を制御する制御装置１０から遊技球の入賞による抽選結果等に応じたコマンドを入力し、該コマンドに応じた画像を表示する。この画像表示装置２は、図２に示すように、表示手段３と、制御手段４とを備える。
【００１８】
〔表示手段の構成〕
図３は、表示手段３の構成を模式的に示す断面図である。具体的に、図３は、液晶パネル３２や視差バリア３３の列方向（図４中、上下方向）から見た断面図である。
表示手段３は、観察者の右目により観察される画像（右目用画像）と、左目により観察される画像（左目用画像）とを含む多重画像を表示し、右目用画像及び左目用画像をそれぞれ右目及び左目に入射させて、多重画像を視差により立体視させる。本実施形態では、表示手段３は、視点数が２の２眼式立体表示装置として構成されている。
この表示手段３は、図３に示すように、光源装置としてのバックライト３１と、液晶パネル３２と、視差バリア３３とを備える。
【００１９】
バックライト３１は、略Ｗ字状に曲折された冷陰極管と、当該冷陰極管の背面側に設けられるリフレクターとを備え、冷陰極管に電圧印加して生じた放電光を、リフレクターで反射して液晶パネル３２側に出射する。なお、バックライト３１は、このような構成に限らず、Ｌ字状またはＵ字状のエッジタイプの冷陰極管と導光板との組み合わせや、冷陰極管及びリフレクターに代えて、ＬＥＤ(Light Emitting Diode)等の固体光源が複数配設された構成を有していてもよい。
【００２０】
図４は、液晶パネル３２の画素３２Ｒ，３２Ｌの配列状態を平面的に見た模式図である。
なお、図３及び図４では、説明の便宜上、左目用画素３２Ｌ内に「Ｌ」の文字を付し、右目用画素３２Ｒ内に「Ｒ」の文字を付している。以降の図も同様である。
また、図３及び図４では、説明を簡略化するために、液晶パネル３２として、各画素３２Ｒ，３２Ｌが４行×１０列で配列している構成を示している。
液晶パネル３２は、固定画素型の画像形成デバイスであり、図３または図４に示すように、右目用画像を表示する複数の右目用画素３２Ｒと、左目用画像を表示する複数の左目用画素３２Ｌとを備え、各画素３２Ｒ，３２ＬがブラックマトリクスＢＬにより仕切られている。
これら各画素３２Ｒ，３２Ｌは、図４に示すように、全ての行方向（図４中、左右方向）及び全ての列方向（図４中、上下方向）において交互に配列されている。
そして、これら各画素３２Ｒ，３２Ｌは、ここでは具体的な図示は省略したが、それぞれＲ（赤）、Ｇ（緑）及びＢ（青）のカラーフィルターが光束出射側に配設されたサブピクセルにより構成されている。また、各画素３２Ｒ，３２Ｌは、一対の透明基板間に密閉封入された液晶に電圧を印加するＴＦＴ(Thin Filmed Transistor)をスイッチング素子として備え、ＴＦＴのスイッチングにより、各画素３２Ｒ，３２Ｌに画像信号として印加される電圧が変化して液晶の配向状態が変化されることで、入射光束が画像信号に応じて変調される。
【００２１】
視差バリア３３は、液晶パネル３２の光束出射側（観察者側）に配設され（図３）、表示される多重画像のうち、右目用画像と左目用画像とを分離する機能を有し、観察者の両目に、それぞれの画像を個別に入射させる。
この視差バリア３３は、図３に示すように、液晶パネル３２を介した光を透過するバリア基板としての透光性基板３３１と、遮光部３３２とを備える。
遮光部３３２は、光を遮断する材料から構成され、透光性基板３３１上に形成されている。そして、遮光部３３２は、具体的な図示は省略したが、液晶パネル３２の各画素３２Ｒ，３２Ｌの配列に対応して、行方向に１列おきに矩形状の開口部３３３（図３）が配置され、かつ、列方向に１行おきに開口部３３３が所定の均等なピッチで配置されるように形成されている。すなわち、各開口部３３３は、千鳥状に配置されている。
【００２２】
そして、観察者は、上述した視差バリア３３により、以下に示すように、多重画像を立体視する。
すなわち、左目用画素３２Ｌから出射された光は、図３に示すように、遮光部３３２により観察者の右目ＥＲに入射することが規制され、開口部３３３を介して観察者の左目ＥＬのみに入射する。
また、右目用画素３２Ｒから出射された光は、図３に示すように、遮光部３３２により観察者の左目ＥＬに入射することが規制され、開口部３３３を介して観察者の右目ＥＲのみに入射する。
そして、観察者は、右目用画像及び左目用画像の視差により、多重画像を立体視する。
【００２３】
〔制御手段の構成〕
制御手段４は、各種半導体素子が実装された回路基板として構成され、表示手段３に表示させる多重画像を生成し、多重画像を表示手段３に表示させる。
この制御手段４は、図２に示すように、第１記憶部４１と、第２記憶部４２と、多重画像生成部４３と、駆動制御部４４とを備える。
【００２４】
第１記憶部４１は、ＣＧＲＯＭ(Character Generator Read Only Memory)等により構成され、多重画像生成部４３により生成される第１の多重画像の元となる右目用画像及び左目用画像を記憶する。
第２記憶部４２は、フラッシュメモリー等により構成され、制御手段４での処理に供される各種プログラム（画像表示プログラムを含む）及びデータを記憶する。
【００２５】
多重画像生成部４３は、ＧＰＵ(Graphics Processing Unit)等で構成され、第２記憶部４２に記憶されたプログラムに沿って動作し、第１記憶部４１に記憶された右目用画像及び左目用画像に基づいて第１の多重画像を生成するとともに、第１の多重画像に基づいて第２の多重画像を生成する。
この多重画像生成部４３は、図２に示すように、指示取得部４３１と、画像合成部４３２と、第１の画像生成部４３３と、第２の画像生成部４３４と、移動処理部４３５と、ＶＲＡＭ(Video Random Access Memory)４３６と、フレームバッファー４３７とを備える。
【００２６】
ＶＲＡＭ４３６は、多重画像生成部４３の作業領域として利用され、処理中の画像が展開及び描画される。
フレームバッファー４３７は、少なくとも１フレーム分の画像を描画可能に構成されたメモリーである。このフレームバッファー４３７は、駆動制御部４４により読取可能に構成されている。
【００２７】
指示取得部４３１は、制御装置１０から入力されるコマンド（多重画像の表示要求、多重画像のスクロール要求等を示すコマンド）を取得する。
画像合成部４３２は、制御装置１０から入力されるコマンド（多重画像の表示要求）に応じた多重画像（第１の多重画像）を生成するために、当該第１の多重画像の元となる右目用画像及び左目用画像を第１記憶部４１から取得する。そして、画像合成部４３２は、右目用画像及び左目用画像を合成して、液晶パネル３２の右目用画素３２Ｒに応じた領域に右目用画像が設定され、左目用画素３２Ｌに応じた領域に左目用画像が設定された第１の多重画像を生成する。また、画像合成部４３２は、生成した第１の多重画像をフレームバッファー４３７に描画する。
【００２８】
第１の画像生成部４３３は、第１の多重画像に対して、隣接する２つの行に配設された各画素３２Ｒ，３２Ｌを１組として、各組毎に、列方向に並ぶ各画素３２Ｒ，３２Ｌに表示させる各画像データを入れ替えて第２の多重画像を生成する。
第２の画像生成部４３４は、第１の多重画像に対して、隣接する２つの列に配設された各画素３２Ｒ，３２Ｌを１組として、各組毎に、行方向に並ぶ各画素３２Ｒ，３２Ｌに表示させる各画像データを入れ替えて第２の多重画像を生成する。
なお、以下では説明の便宜上、第１の画像生成部４３３にて生成された第２の多重画像を横スクロール用画像と記載し、第２の画像生成部４３４にて生成された第２の多重画像を縦スクロール用画像と記載する。
【００２９】
移動処理部４３５は、制御装置１０から入力されるコマンド（多重画像のスクロール要求）に応じて、フレームバッファー４３７に、第１の多重画像、または、第２の多重画像（横スクロール用画像、縦スクロール用画像）を描画する。
駆動制御部４４は、フレームバッファー４３７に描画された多重画像（第１の多重画像または第２の多重画像）に応じた駆動信号を液晶パネル３２に出力する駆動制御回路（ドライバー回路）等を備える。これにより、多重画像（第１の多重画像または第２の多重画像）が液晶パネル３２により表示される。
【００３０】
〔画像表示方法〕
次に、上述した制御手段４により実行される画像表示方法について説明する。
図５は、画像表示方法を説明するフローチャートである。
図６ないし図１０は、画像表示方法を説明するための図である。具体的に、図６ないし図１０は、液晶パネル３２の画素３２Ｒ，３２Ｌの配列状態の一部を示す模式図である。また、図６は多重画像をスクロールする前の状態を示し、図７及び図８は多重画像を行方向にスクロールした後の状態を示し、図９及び図１０は多重画像を列方向にスクロールした後の状態を示している。
なお、図６ないし図１０では、説明の便宜上、Ｒのカラーフィルターが配設されたサブピクセル（Ｒ（赤）のサブピクセル）内に「（Ｒ）」の文字を付し、Ｇ（緑）のサブピクセル内に「（Ｇ）」の文字を付し、Ｂ（青）のサブピクセル内に「（Ｂ）」の文字を付している。
【００３１】
また、図６ないし図１０では、ピクセル（ＲＧＢの３つのサブピクセル）単位で行及び列を区画している。そして、図６では、説明の便宜上、スクロール前に表示される画像データとして、上から○行目、左から△列目のサブピクセルに表示される画像データであれば、「○△」のインデックスを付すとともに、ＲＧＢいずれの画像データであるかを示すために「Ｒ」、「Ｇ」、「Ｂ」の文字を付している。
例えば、図６において、上から１行目、左から１列目のＲ（赤）のサブピクセルであれば、「１１Ｒ」の画像データが表示されている。
そして、図７ないし図１０では、各サブピクセルに表示される画像データとして、スクロールする前（図６）を基準とし、図６に示す画像データがどのサブピクセルに移動したかを示している。
【００３２】
制御手段４は、第２記憶部４２に記憶された画像表示プログラムを実行し、以下に示すように、画像表示プログラムに沿って処理を行う。
先ず、指示取得部４３１は、制御装置１０から多重画像の表示要求を示すコマンドを入力したか否かを判定する（ステップＳ１）。
ステップＳ１において、「Ｙ」と判定された場合には、画像合成部４３２は、取得されたコマンドに応じた右目用画像及び左目用画像を第１記憶部４１から取得し、右目用画像及び左目用画像を合成して第１の多重画像を生成する（ステップＳ２）。
【００３３】
ステップＳ２の後、画像合成部４３２は、生成した第１の多重画像をフレームバッファー４３７に描画する。そして、駆動制御部４４から駆動信号が液晶パネル３２に出力されることで、図６に示すように、液晶パネル３２の画面内に第１の多重画像が表示される（ステップＳ３）。
【００３４】
ステップＳ３の後、第１の画像生成部４３３は、ステップＳ２にて生成された第１の多重画像に基づいて、横スクロール用画像を生成する（ステップＳ４）。
具体的に、第１の画像生成部４３３は、図６に示す第１の多重画像において、１行目及び２行目に並ぶ各画素３２Ｒ，３２Ｌに表示される各画像データを１組として、列方向に並ぶ各画素３２Ｒ，３２Ｌに表示される各画像データを入れ替える。
例えば、１行目の各画像データ「１１Ｒ」、「１１Ｇ」、「１１Ｂ」、「１２Ｒ」、「１２Ｇ」、「１２Ｂ」、・・・は、２行目に移動し、２行目の各画像データ「２１Ｒ」、「２１Ｇ」、「２１Ｂ」、「２２Ｒ」、「２２Ｇ」、「２２Ｂ」、・・・は、１行目に移動する。
そして、第１の画像生成部４３３は、他の組（３行目及び４行目の組、５行目及び６行目の組、・・・）についても上記同様の処理を行うことで、横スクロール用画像を生成する。
【００３５】
ステップＳ４の後、第２の画像生成部４３４は、ステップＳ２にて生成された第１の多重画像に基づいて、縦スクロール用画像を生成する（ステップＳ５）。
具体的に、第１の画像生成部４３３は、図６に示す第１の多重画像において、１列目及び２列目に並ぶ各画素３２Ｒ，３２Ｌに表示される各画像データを１組として、行方向に並ぶ各画素３２Ｒ，３２Ｌに表示される各画像データを、対応するＲＧＢの画像データ同士で入れ替える。
例えば、１行目において、１列目の各画像データ「１１Ｒ」、「１１Ｇ」、「１１Ｂ」は、２列目に移動し、２列目の各画像データ「１２Ｒ」、「１２Ｇ」、「１２Ｂ」は、１列目に移動する。
そして、第２の画像生成部４３４は、他の組（３列目及び４列目の組、５列目及び６列目の組、・・・）についても上記同様の処理を行うことで、縦スクロール用画像を生成する。
【００３６】
ステップＳ５の後、指示取得部４３１は、制御装置１０から多重画像のスクロール要求を示すコマンドを入力したか否かを判定する（ステップＳ６：指示取得ステップ）。
ステップＳ６において、「Ｎ」と判定された場合には、制御手段４は、ステップＳ３の処理を継続する。
一方、ステップＳ６において、指示取得部４３１は、「Ｙ」と判定した場合には、入力したコマンドが多重画像の行方向へのスクロール要求であるか否かを判定する（ステップＳ７）。
【００３７】
ステップＳ７において、「Ｙ」と判定された場合には、移動処理部４３５は、以下に示すように、多重画像を行方向にスクロールする（ステップＳ８：移動処理ステップ）。
例えば、移動処理部４３５は、図６に示す多重画像を行方向に１ピクセル分、移動する場合には、ステップＳ４にて生成された横スクロール用画像を行方向に１ピクセル分、移動した画像をフレームバッファー４３７に描画する。そして、駆動制御部４４から駆動信号が液晶パネル３２に出力されることで、図７に示すように、液晶パネル３２の画面内を行方向に１ピクセル分、移動した横スクロール用画像が表示される。
また、例えば、移動処理部４３５は、図７に示す多重画像を行方向にさらに１ピクセル分、移動する（図６に示す多重画像を行方向に２ピクセル分、移動する）場合には、ステップＳ２にて生成された第１の多重画像を行方向に２ピクセル分、移動した画像をフレームバッファー４３７に描画する。そして、駆動制御部４４から駆動信号が液晶パネル３２に出力されることで、図８に示すように、液晶パネル３２の画面内を行方向に２ピクセル分、移動した第１の多重画像が表示される。
以上のように、ステップＳ８では、移動処理部４３５は、多重画像を行方向にスクロールする際、奇数ピクセル分、移動する場合には横スクロール用画像を表示する処理を実行し、偶数ピクセル分、移動する場合には第１の多重画像を表示する処理を実行する。
【００３８】
一方、ステップＳ７において、「Ｎ」と判定された場合には、移動処理部４３５は、以下に示すように、多重画像を列方向にスクロールする（ステップＳ９：移動処理ステップ）。
例えば、移動処理部４３５は、図６に示す多重画像を列方向に１ピクセル分、移動する場合には、ステップＳ５にて生成された縦スクロール用画像を列方向に１ピクセル分、移動した画像をフレームバッファー４３７に描画する。そして、駆動制御部４４から駆動信号が液晶パネル３２に出力されることで、図９に示すように、液晶パネル３２の画面内を列方向に１ピクセル分、移動した縦スクロール用画像が表示される。
また、例えば、移動処理部４３５は、図９に示す多重画像を列方向にさらに１ピクセル分、移動する（図６に示す多重画像を列方向に２ピクセル分、移動する）場合には、ステップＳ２にて生成された第１の多重画像を列方向に２ピクセル分、移動した画像をフレームバッファー４３７に描画する。そして、駆動制御部４４から駆動信号が液晶パネル３２に出力されることで、図１０に示すように、液晶パネル３２の画面内を列方向に２ピクセル分、移動した第１の多重画像が表示される。
以上のように、ステップＳ９では、移動処理部４３５は、多重画像を列方向にスクロールする際、奇数ピクセル分、移動する場合には縦スクロール用画像を表示する処理を実行し、偶数ピクセル分、移動する場合には第１の多重画像を表示する処理を実行する。
【００３９】
上述した第１実施形態によれば、以下の効果がある。
本実施形態では、制御手段４を構成する移動処理部４３５は、多重画像をスクロールさせる際、第１の多重画像、または第２の多重画像を液晶パネル３２に表示させる。
このことにより、第１の多重画像及び第２の多重画像は、左目用画像及び右目用画像が反転した画像であるため、ピクセル単位で多重画像をスクロールさせる際に第１の多重画像及び第２の多重画像を交互に液晶パネル３２に表示させれば、スクロールの際に逆視の状態が存在することなく、多重画像を正しく立体視させることができる。
例えば、１列目の左目用画素３２Ｌに表示される画像データ「１１Ｒ」、「２１Ｇ」、「１１Ｂ」は、奇数ピクセル分、行方向にスクロールした場合には図７に示すように左目用画素３２Ｌに表示されることとなり、偶数ピクセル分、行方向にスクロールした場合でも同様に図８に示すように左目用画素３２Ｌに表示されることとなり、スクロールの際に逆視の状態が存在しない。なお、列方向にスクロールした場合も同様である。
また、上述したようにピクセル単位で多重画像をスクロールさせても正しく立体視させることができるため、スクロールの際に多重画像を滑らかに動かすことができ、観察者に違和感を与えることがない。
【００４０】
また、制御手段４は、第２の多重画像（横スクロール用画像及び縦スクロール用画像）を生成する第１の画像生成部４３３及び第２の画像生成部４３４を備える。
このことにより、第１の多重画像に対して左目用画像及び右目用画像が反転した第２の多重画像を容易に生成できる。
また、上述したように第２の多重画像を生成することで、行方向または列方向へのスクロールの際、第１の多重画像を表示しても、第２の多重画像を表示しても、略同一の立体画像として立体視させることができ、観察者に違和感を与えることがない。
さらに、第２の多重画像を生成する構成とすることで、例えば、第１及び第２の多重画像に関するデータを予め第１記憶部４１に記憶させておく構成と比較して、第１の多重画像に関するデータ（左目用画像、右目用画像）のみを第１記憶部４１に記憶させておけばよく、第１記憶部４１のデータ容量を低減できる。
【００４１】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図１１は、第２実施形態における画像表示装置２の構成を示すブロック図である。
図１２は、第２実施形態における液晶パネル３２の画素３２Ｒ，３２Ｌの配列状態を平面的に見た模式図である。
本実施形態では、前記第１実施形態に対して、図１１及び図１２に示すように、液晶パネル３２の画素３２Ｒ，３２Ｌの配列状態、及び多重画像生成部４３の構成が異なるのみである。
その他の構成は、前記第１実施形態と同様のものである。
【００４２】
具体的に、液晶パネル３２において、各画素３２Ｒ，３２Ｌは、図１２に示すように、列方向に同一の画素（右目用画素３２Ｒあるいは左目用画素３２Ｌ）となり、行方向に交互に配列されている。
また、視差バリア３３についても、具体的な図示は省略したが、液晶パネル３２の各画素３２Ｒ，３２Ｌの配列状態に対応して遮光部３３２及び開口部３３３の形状を変更している。
具体的に、第２実施形態の視差バリア３３は、液晶パネル３２の各画素３２Ｒ，３２Ｌの配列に対応して、列方向（図１２中、上下方向）に開口部３３３が伸び、行方向に開口部３３３が所定の均等なピッチで配置されるように形成されている。
さらに、制御手段４において、多重画像生成部４３は、前記第１実施形態に対して、第１の画像生成部４３３が省略されているとともに、移動処理部４３５による処理が異なる。
【００４３】
そして、第２実施形態の画像表示方法は、制御手段４により以下のように実行される。
図１３は、第２実施形態の画像表示方法を説明するフローチャートである。
図１４ないし図１６は、画像表示方法を説明するための図である。具体的に、図１４ないし図１６は、図６ないし図８に対応した図である。
なお、以下では、前記第１実施形態の画像表示方法と同一の処理については説明を省略し、異なる処理のみについて説明する。
【００４４】
制御手段４は、ステップＳ１〜Ｓ３の処理により、図１４に示すように液晶パネル３２の画面内に第１の多重画像を表示した後、ステップＳ５（縦スクロール用画像の生成）を実行する。
また、ステップＳ８では、移動処理部４３５は、以下に示すように、多重画像を行方向にスクロールする。
例えば、移動処理部４３５は、図１４に示す多重画像を行方向に１ピクセル分、移動する場合には、ステップＳ５にて生成された縦スクロール用画像を行方向に１ピクセル分、移動した画像をフレームバッファー４３７に描画する。そして、駆動制御部４４から駆動信号が液晶パネル３２に出力されることで、図１５に示すように、液晶パネル３２の画面内を行方向に１ピクセル分、移動した縦スクロール用画像が表示される。
また、例えば、移動処理部４３５は、図１５に示す多重画像を行方向にさらに１ピクセル分、移動する（図１４に示す多重画像を行方向に２ピクセル分、移動する）場合には、ステップＳ２にて生成された第１の多重画像を行方向に２ピクセル分、移動した画像をフレームバッファー４３７に描画する。そして、駆動制御部４４から駆動信号が液晶パネル３２に出力されることで、図１６に示すように、液晶パネル３２の画面内を行方向に２ピクセル分、移動した第１の多重画像が表示される。
以上のように、ステップＳ８では、移動処理部４３５は、多重画像を行方向にスクロールする際、奇数ピクセル分、移動する場合には縦スクロール用画像を表示する処理を実行し、偶数ピクセル分、移動する場合には第１の多重画像を表示する処理を実行する。
【００４５】
なお、ステップＳ９では、移動処理部４３５は、具体的な図示は省略したが、多重画像を列方向にスクロールする際、奇数ピクセル分、移動する場合でも、偶数ピクセル分、移動する場合でも、第１の多重画像を表示する処理を実行するものである。
上述した第２の実施形態のように液晶パネル３２の画素３２Ｒ，３２Ｌの配列状態を変更した場合であっても、上述した処理を実行することで、前記第１実施形態と同様の作用及び効果を享受できる。
【００４６】
なお、本発明は前述の実施形態に限定されるものではなく、本発明の目的を達成できる範囲での変形、改良等は本発明に含まれるものである。
前記各実施形態では、第２の多重画像を生成する構成としていたが、これに限らず、第２の多重画像に関するデータを第１記憶部４１に予め記憶させておき、適宜、読み取って液晶パネル３２に表示させる構成としても構わない。
前記各実施形態では、多重画像をスクロールさせる指示を制御装置１０が画像表示装置２に出力する構成としていたが、これに限らず、方向キー等の入力装置を設け、利用者による入力装置の操作により、画像表示装置２（指示取得部４３１）が前記指示を取得する構成としても構わない。
【００４７】
前記各実施形態では、液晶パネル３２を備える画像表示装置２を挙げたが、本発明はこれに限らない。すなわち、バックライト３１及び液晶パネル３２に代えて、有機ＥＬ（Electro-Luminescence）やプラズマ等の自己発光素子を有するパネルを採用してもよく、また、ＣＲＴ（Cathode Ray Tube）を採用することも可能である。
前記各実施形態では、本発明の画像表示装置２をパチンコ機として構成された遊技機１に採用した例を挙げたが、本発明はこれに限らない。すなわち、画像表示装置２は、パチスロ機等の他の遊技機に採用することもできる。また、画像表示装置２は、単体で使用することも可能であるほか、自動車のコンソールパネルや、ビデオゲーム機等に採用することも可能である。
【産業上の利用可能性】
【００４８】
本発明は、左目用画素及び右目用画素が少なくとも一方向に交互に配列され、左目用画像及び右目用画像が合成された多重画像を画面上に表示する表示手段と、表示手段を制御する制御手段とを備えた画像表示装置に利用できる。
【符号の説明】
【００４９】
１・・・遊技機、２・・・画像表示装置、３・・・表示手段、４・・・制御手段、３２Ｌ・・・左目用画素、３２Ｒ・・・右目用画素、４３１・・・指示取得部、４３３・・・第１の画像生成部、４３４・・・第２の画像生成部、４３５・・・移動処理部、Ｓ６・・・指示取得ステップ、Ｓ８，Ｓ９・・・移動処理ステップ。
【図１】
2011090137.tif 000003
【図２】
2011090137.tif 000004
【図３】
2011090137.tif 000005
【図４】
2011090137.tif 000006
【図５】
2011090137.tif 000007
【図６】
2011090137.tif 000008
【図７】
2011090137.tif 000009
【図８】
2011090137.tif 000010
【図９】
2011090137.tif 000011
【図１０】
2011090137.tif 000012
【図１１】
2011090137.tif 000013
【図１２】
2011090137.tif 000014
【図１３】
2011090137.tif 000015
【図１４】
2011090137.tif 000016
【図１５】
2011090137.tif 000017
【図１６】
2011090137.tif 000018